(57)【要約】【課題】表示画面の縦横方向を切換える際に、ユーザの見易いサイズで被写体を表示する。【解決手段】携帯電話機１は、カメラ部１３と、カメラ部１３で撮像した矩形の画像データを格納する撮像画像用メモリ２４と、縦表示画面状態と横表示画面状態との間で表示画面８を回転させる回転機構部５と、表示画面８が縦表示画面状態である場合には、格納された画像データを、縦表示画面用切り出し範囲で切り出す縦表示画面用切り出し部２１と、表示画面８が横表示画面状態である場合には、縦表示画面用切り出し範囲と同一形状である横表示画面用切り出し範囲で切り出す横表示画面用切り出し部２２とを備え、該切り出した画像データを表示部６に表示させる。これにより、縦表示画面用切り出し範囲で切り出される画像データの大きさと、横表示画面用切り出し範囲で切り出される画像データの大きさとは同じであるため、表示される被写体の大きさは変わらない。【選択図】図１
2008301123.tif 000002
【特許請求の範囲】
【請求項１】
矩形の表示画面と、
矩形の撮像面を有する撮像素子と、
前記撮像素子で撮像した矩形の画像データを格納する撮像画像データ格納部と、
前記表示画面の長手方向を前記画像データの長手方向に一致させた第１の状態と、前記表示画面の長手方向を前記画像データの短手方向に一致させた第２の状態との間で、前記表示画面を回転させる回転機構と、
前記撮像画像データ格納部に格納された画像データから、所定の矩形の切り出し範囲に含まれる画像データを切り出す画像切り出し手段と、
前記画像切り出し手段によって切り出された画像データを前記表示画面に表示する表示手段とを備える撮像機能付き端末装置であって、
前記画像切り出し手段は、
前記表示画面が前記第１の状態である場合には、長手方向を前記画像データの長手方向に一致させた矩形の第１切り出し範囲によって画像データを切り出し、
前記表示画面が前記第２の状態である場合には、前記第１切り出し範囲と同一形状であって、長手方向を前記画像データの短手方向に一致させた矩形の第２切り出し範囲によって画像データを切り出すことを特徴としている撮像機能付き端末装置。
【請求項２】
矩形の表示画面と、
矩形の撮像面を有する撮像素子と、
前記撮像素子で撮像した矩形の画像データを格納する撮像画像データ格納部と、
前記表示画面の長手方向を前記画像データの長手方向に一致させた第１の状態と、前記表示画面の長手方向を前記画像データの短手方向に一致させた第２の状態との間で、前記表示画面を回転させるとともに、該回転に伴って、前記撮像素子の矩形の向きを９０度回転させる回転機構と、
前記撮像画像データ格納部に格納された画像データから、所定の矩形の切り出し範囲に含まれる画像データを切り出す画像切り出し手段と、
前記画像切り出し手段によって切り出された画像データを前記表示画面に表示する表示手段とを備える撮像機能付き端末装置であって、
前記画像切り出し手段は、
前記表示画面が前記第１の状態であった時に前記撮像素子によって撮像された画像データを表示する際に、
前記表示画面が前記第１の状態である場合には、長手方向を前記画像データの長手方向に一致させた矩形の第１切り出し範囲によって画像データを切り出し、
前記表示画面が前記第２の状態である場合には、前記第１切り出し範囲と同一形状であって、長手方向を前記画像データの短手方向に一致させた矩形の第２切り出し範囲によって画像データを切り出すとともに、
前記表示画面が前記第２の状態であった時に前記撮像素子によって撮像された画像データを表示する際に、
前記表示画面が前記第１の状態である場合には、前記第２切り出し範囲によって画像データを切り出し、
前記表示画面が前記第２の状態である場合には、前記第１切り出し範囲によって画像データを切り出すことを特徴としている撮像機能付き端末装置。
【請求項３】
前記第１切り出し範囲または前記第２切り出し範囲における長手方向と短手方向との長さの比が、前記表示画面の長手方向と短手方向との長さの比に等しく、
前記表示手段は、前記画像切り出し手段によって切り出された画像データを、前記表示画面に全画面表示することを特徴とする請求項１または２に記載の撮像機能付き端末装置。
【請求項４】
通信相手とデータの送受信を行う通信手段をさらに備え、
前記撮像画像データ格納部は、前記通信手段を介して、前記通信相手から受信した矩形の画像データを格納することを特徴とする請求項１に記載の撮像機能付き端末装置。
【請求項５】
矩形の表示画面と、
矩形の撮像面を有する撮像素子と、
前記撮像素子で撮像した矩形の画像データを格納する撮像画像データ格納部と、
前記表示画面の長手方向を前記画像データの長手方向に一致させた第１の状態と、前記表示画面の長手方向を前記画像データの短手方向に一致させた第２の状態との間で、前記表示画面を回転させる回転機構とを備える撮像機能付き端末装置の制御方法であって、
前記撮像画像データ格納部に格納された画像データから、所定の矩形の切り出し範囲に含まれる画像データを切り出す画像切り出しステップと、
前記画像切り出しステップにて切り出した画像データを前記表示画面に表示する表示ステップとを含み、
前記画像切り出しステップにて、
前記表示画面が前記第１の状態である場合には、長手方向を前記画像データの長手方向に一致させた矩形の第１切り出し範囲によって画像データを切り出し、
前記表示画面が前記第２の状態である場合には、前記第１切り出し範囲と同一形状であって、長手方向を前記画像データの短手方向に一致させた矩形の第２切り出し範囲によって画像データを切り出すことを特徴としている撮像機能付き端末装置の制御方法。
【請求項６】
矩形の表示画面と、
矩形の撮像面を有する撮像素子と、
前記撮像素子で撮像した矩形の画像データを格納する撮像画像データ格納部と、
前記表示画面の長手方向を前記画像データの長手方向に一致させた第１の状態と、前記表示画面の長手方向を前記画像データの短手方向に一致させた第２の状態との間で、前記表示画面を回転させるとともに、該回転に伴って、前記撮像素子の矩形の向きを９０度回転させる回転機構とを備える撮像機能付き端末装置の制御方法であって、
前記撮像画像データ格納部に格納された画像データから、所定の矩形の切り出し範囲に含まれる画像データを切り出す画像切り出しステップと、
前記画像切り出しステップにて切り出した画像データを前記表示画面に表示する表示ステップとを含み、
前記画像切り出しステップにて、
前記表示画面が前記第１の状態であった時に前記撮像素子によって撮像した画像データを表示する際に、
前記表示画面が前記第１の状態である場合には、長手方向を前記画像データの長手方向に一致させた矩形の第１切り出し範囲によって画像データを切り出し、
前記表示画面が前記第２の状態である場合には、前記第１切り出し範囲と同一形状であって、長手方向を前記画像データの短手方向に一致させた矩形の第２切り出し範囲によって画像データを切り出すとともに、
前記表示画面が前記第２の状態であった時に前記撮像素子によって撮像した画像データを表示する際に、
前記表示画面が前記第１の状態である場合には、前記第２切り出し範囲によって画像データを切り出し、
前記表示画面が前記第２の状態である場合には、前記第１切り出し範囲によって画像データを切り出すことを特徴としている撮像機能付き端末装置の制御方法。
【請求項７】
請求項１〜４の何れか１項に記載の撮像機能付き端末装置を動作させるための制御プログラムであって、コンピュータを上記各手段として機能させるための制御プログラム。
【請求項８】
請求項７に記載の制御プログラムを記録したコンピュータ読み取り可能な記録媒体。
【発明の詳細な説明】
【技術分野】
【０００１】
本発明は、撮像機能付きの端末装置に関するものであり、特に、回転する表示画面を有する撮像機能付き端末装置に関する。
【背景技術】
【０００２】
近年、カメラを搭載した様々な端末がある。撮像カメラを搭載した端末には、撮影時に被写体を確認するための、または、撮影後の撮像した画像を確認するための表示画面を備えているのが一般的である。さらに、デジタルカメラ、携帯電話を中心として、縦画面表示から横画面表示に表示画面を回転させる等の変形機構を備える端末も発売されている。
【０００３】
これらの端末に備えられる表示画面は、縦と横の長さが異なる長方形の形をしているのが一般的であり、またこれらの端末に備えられるカメラ等の撮像素子の撮影可能範囲も縦と横の長さが異なる構成であることが一般的である。
【０００４】
ここで、長手方向を縦方向とし、短手方向を横方向とする縦長の表示画面を有する一般的な折り畳み式携帯電話機を用いて説明する。該折り畳み携帯電話機が、表示画面の縦横方向の切換えが可能な、すなわち縦長の表示画面を横長の表示画面に切換え可能な変形機構を有する場合、該表示画面の切換えに応じて、撮像素子で撮像した画像（撮像素子の撮影可能な範囲と同じ）の縦横方向を切換える必要がある。該表示画面の縦横方向の切換えに応じて、撮像素子で撮像した画像の縦横方向を切換えない場合、表示画面が横長の表示画面であるにも関わらず、撮像素子で撮像した画像は、縦長方向に表示されるため、画像を確認しにくい等の問題が生じる。
【０００５】
そこで、特許文献１に開示されているような、表示画面の縦横方向の切換えに応じて、撮像素子の撮影可能範囲の縦横方向も切換える構成を備えたカメラ付き携帯電話機がある。
【０００６】
図９は、特許文献１に記載のカメラ付き携帯電話機を示す外観図であり、（ａ）はカメラ付き携帯電話機の外観を示す斜視図であり、（ｂ）および（ｃ）はカメラ付き携帯電話機の外観を示す側面図である。
【０００７】
図９（ａ）に示すように、特許文献１に記載のカメラ付き携帯電話１０１は、表示画面１０６を備える第１筐体１０２と、操作部１０７を備える第２筐体１０３と、第１筐体１０２と第２筐体１０３とを開閉可能に連結するヒンジ部１０４と、第１筐体１０２を回動軸Ｂの周りを第２筐体１０３に対して回動可能にするヒンジ部１０５とを備える折りたたみ式の携帯電話機である。
【０００８】
ヒンジ部１０４は、内部に撮像レンズや撮像素子１０８等からなる撮像装置と、第１筐体１０２と第２筐体１０３とが成す角度である「開き回転角度」を検出する回転角度検出器とを備える。
【０００９】
カメラ付き携帯電話機１０１では、図９（ｂ）に示すように、表示画面１０６が縦長の表示画面であるとき、ヒンジ部１０４に備えられた撮像素子１０８の向きも縦長である。また、カメラ付き携帯電話機１０１では、図９（ｃ）で示すように、表示画面１０６が横長の表示画面に切換えられたとき、上記回転角度検出器で検出された開き回転角度に応じて、撮像素子１０８の撮影可能な範囲も９０度回転する。すなわち、カメラ付き携帯電話機１０１では、表示画面１０６の縦横方向と、撮像素子１０８の撮影可能な範囲の縦横方向とを常に固定している構成であり、撮像素子１０８で撮像した画像と、該画像を表示する表示画面１０６との方向にずれが生じず、上述したような撮像した画像を確認しにくい等の問題は生じない。
【００１０】
また、特許文献１に記載の構成の他に、撮像素子で撮像した画像と該画像を表示する表示画面との方向にずれが生じないようにする方法として、図１０（ｂ）に示すように、撮像した画像の一部を、表示画面の縦横方向に合うように、切り出し、該切り出した画像を、表示画面で表示する際に拡大する方法がある。
【００１１】
図１０は、従来の撮像素子で撮像した画像の切り出し方法を説明した図であり、（ａ）は撮像素子で撮像した画像データと表示画面との縦横方向が一致するときの説明図であり、（ｂ）は撮像した画像データと表示画面との縦横方向が異なるときの説明図である。また、図１０（ａ），（ｂ）の紙面に向かって左側の図が、撮像素子で撮像した画像データであり、紙面向かって右側の図が、表示画面で表示された画像を示す図である。
【００１２】
ここでは、長手方向を縦方向とし、短手方向を横方向とする縦長の表示画面を有し、縦長の表示画面を横長の表示画面に切換え可能な変形機構を有し、かつ、横長に切換え不可である撮像面を有する撮像素子を備えた携帯電話機を用いて説明する。
【００１３】
上記携帯電話機で、撮像素子の撮像面の縦横方向と表示画面の縦横方向とが一致する場合、すなわち表示画面が縦表示画面状態の場合は、図１０（ａ）で示すように、撮像したデータ全体を切り出し、表示画面でそのまま表示させる。一方、横長の表示画面となるように、変形機構を用いて表示画面を変形させることにより、撮像されて格納される画像データの縦横方向と表示画面の縦横方向とが不一致となる場合、図１０（ｂ）で示すように、被写体の部分を含むように、該画像データの一部が切り出され、該切り出された部分（太線で囲まれた部分）を、表示画面全体に表示するように、拡大表示する。
【００１４】
すなわち、上記方法では、縦長の表示画面で表示する場合には、撮像した画像データ全体を切り出し、そのまま表示画面で表示する構成であり、また、横長の表示画面で表示する場合には、該画像データの一部を切り出して、表示画面において拡大表示する構成であるため、縦長の表示画面で表示する場合と横長の表示画面で表示する場合とで、切り出し範囲を変えて表示するようになっている。
【特許文献１】特開２００６-２１１５０１号公報（平成１８年８月１０日公開）
【発明の開示】
【発明が解決しようとする課題】
【００１５】
しかしながら、上記特許文献１に記載のカメラ付き携帯電話機１０１では、回転角度検出器が、ヒンジ部１０４の回転に応じて検出するため、ヒンジ部４に撮像素子１０８を設ける必要がある。また、撮像素子１０８は、ヒンジ部１０４の回転によって回転するため、ヒンジ部１０４の回転可能な範囲でのみ回転することができる。すなわち、撮像素子１０８の撮像面と表示画面１０６との向きを常に固定させる必要があった。これらのことより、特許文献１に記載のカメラ付き携帯電話機１０１では、撮像素子１０８の配置場所や、回転方向が制限されるため、撮像素子１０８を第２筐体１０３に配置することができない等、柔軟な設計をすることが困難である。
【００１６】
また、上記従来の切り出し方法では、横長の表示画面で表示する場合と、縦長の表示画面で表示する場合とでは、切り出し範囲を変えているため、表示画面に映し出される被写体の大きさも変わってしまう。具体的には、図１０（ａ）では、撮像した画像データ全体を切り出して、表示画面に表示しているため、表示画面全体に対して被写体が占める割合は、撮像した画像データ全体に対して被写体が占める割合と同じである。一方、図１０（ｂ）では、撮像した画像データの一部を切り出して、切り出した範囲を拡大表示するため、表示画面全体に対して被写体が占める割合は、撮像した画像データ全体に対して被写体が占める割合よりも大きくなってしまう。すなわち、縦長の表示画面から、横長の表示画面に切換えた際に、被写体が大きく写ってしまう。
【００１７】
このように、表示画面を切換えることによって、被写体の大きさが変わってしまうと、例えば、テレビ電話中で、表示画面を縦長の表示画面から横長の表示画面に変えた場合に、通話相手が急にアップで表示されてしまい、ユーザが不快に感じてしまう等の問題が生じるおそれがある。
【００１８】
本発明は、上記従来の問題点に鑑みてなされたものであって、その目的は、表示画面の縦横方向を切換える際に、ユーザの見易いサイズで被写体を表示することができる端末装置を提供することにある。
【課題を解決するための手段】
【００１９】
本発明の撮像機能付き端末装置は、上記課題を解決するために、矩形の表示画面と、矩形の撮像面を有する撮像素子と、前記撮像素子で撮像した矩形の画像データを格納する撮像画像データ格納部と、前記表示画面の長手方向を前記画像データの長手方向に一致させた第１の状態と、前記表示画面の長手方向を前記画像データの短手方向に一致させた第２の状態との間で、前記表示画面を回転させる回転機構と、前記撮像画像データ格納部に格納された画像データから、所定の矩形の切り出し範囲に含まれる画像データを切り出す画像切り出し手段と、前記画像切り出し手段によって切り出された画像データを前記表示画面に表示する表示手段とを備える撮像機能付き端末装置であって、前記画像切り出し手段は、前記表示画面が前記第１の状態である場合には、長手方向を前記画像データの長手方向に一致させた矩形の第１切り出し範囲によって画像データを切り出し、前記表示画面が前記第２の状態である場合には、前記第１切り出し範囲と同一形状であって、長手方向を前記画像データの短手方向に一致させた矩形の第２切り出し範囲によって画像データを切り出すことを特徴としている。
【００２０】
また、本発明の撮像機能付き端末装置の制御方法は、上記課題を解決するために、矩形の表示画面と、矩形の撮像面を有する撮像素子と、前記撮像素子で撮像した矩形の画像データを格納する撮像画像データ格納部と、前記表示画面の長手方向を前記画像データの長手方向に一致させた第１の状態と、前記表示画面の長手方向を前記画像データの短手方向に一致させた第２の状態との間で、前記表示画面を回転させる回転機構とを備える撮像機能付き端末装置の制御方法であって、前記撮像画像データ格納部に格納された画像データから、所定の矩形の切り出し範囲に含まれる画像データを切り出す画像切り出しステップと、前記画像切り出しステップにて切り出した画像データを前記表示画面に表示する表示ステップとを含み、前記画像切り出しステップにて、前記表示画面が前記第１の状態である場合には、長手方向を前記画像データの長手方向に一致させた矩形の第１切り出し範囲によって画像データを切り出し、前記表示画面が前記第２の状態である場合には、前記第１切り出し範囲と同一形状であって、長手方向を前記画像データの短手方向に一致させた矩形の第２切り出し範囲によって画像データを切り出すことを特徴としている。
【００２１】
上記構成および方法によれば、画像切り出し手段は、撮像画像データ格納部に格納された画像データを表示画面で表示する際の表示画面の状態に応じて、第１切り出し範囲（図８（ａ）の２７）若しくは第２切り出し範囲（図８（ｂ）の２８）内の画像データを切り出す。この第１切り出し範囲と第２切り出し範囲とは、矩形の向きは異なるものの、同一形状であるため、第１切り出し範囲で切り出される画像データの大きさと第２切り出し範囲で切り出される画像データの大きさとは同じである。
【００２２】
したがって、表示画面が回転したことにより、表示画面の長手方向と短手方向とが入れ換わっても、切り出して表示される画像データの大きさは同じであるため、表示される被写体の大きさは変わらない。その結果、表示画面の長手方向と短手方向とを切換える際に、被写体の大きさが変化することを防ぐことができ、ユーザはストレスを感じることなしに、表示画面の切換えを行うことができる。
【００２３】
また、上記構成および方法によれば、撮像素子で撮像した画像データを表示画面で表示する際に、一定の範囲の画像データを切り出して表示する構成であるため、従来のように表示画面の長手・短手方向と撮像素子の撮像面の長手・短手方向とを常に固定する必要がなく、撮像素子の配置場所を限定する必要がない。これにより、設計の自由度が高くなる。
【００２４】
また、本発明の撮像機能付き端末装置は、上記課題を解決するために、矩形の表示画面と、矩形の撮像面を有する撮像素子と、前記撮像素子で撮像した矩形の画像データを格納する撮像画像データ格納部と、前記表示画面の長手方向を前記画像データの長手方向に一致させた第１の状態と、前記表示画面の長手方向を前記画像データの短手方向に一致させた第２の状態との間で、前記表示画面を回転させるとともに、該回転に伴って、前記撮像素子の矩形の向きを９０度回転させる回転機構と、前記撮像画像データ格納部に格納された画像データから、所定の矩形の切り出し範囲に含まれる画像データを切り出す画像切り出し手段と、前記画像切り出し手段によって切り出された画像データを前記表示画面に表示する表示手段とを備える撮像機能付き端末装置であって、前記画像切り出し手段は、前記表示画面が前記第１の状態であった時に前記撮像素子によって撮像された画像データを表示する際に、前記表示画面が前記第１の状態である場合には、長手方向を前記画像データの長手方向に一致させた矩形の第１切り出し範囲によって画像データを切り出し、前記表示画面が前記第２の状態である場合には、前記第１切り出し範囲と同一形状であって、長手方向を前記画像データの短手方向に一致させた矩形の第２切り出し範囲によって画像データを切り出すとともに、前記表示画面が前記第２の状態であった時に前記撮像素子によって撮像された画像データを表示する際に、前記表示画面が前記第１の状態である場合には、前記第２切り出し範囲によって画像データを切り出し、前記表示画面が前記第２の状態である場合には、前記第１切り出し範囲によって画像データを切り出すことを特徴としている。
【００２５】
また、本発明の撮像機能付き端末装置の制御方法は、上記課題を解決するために、矩形の表示画面と、矩形の撮像面を有する撮像素子と、前記撮像素子で撮像した矩形の画像データを格納する撮像画像データ格納部と、前記表示画面の長手方向を前記画像データの長手方向に一致させた第１の状態と、前記表示画面の長手方向を前記画像データの短手方向に一致させた第２の状態との間で、前記表示画面を回転させるとともに、該回転に伴って、前記撮像素子の矩形の向きを９０度回転させる回転機構とを備える撮像機能付き端末装置の制御方法であって、前記撮像画像データ格納部に格納された画像データから、所定の矩形の切り出し範囲に含まれる画像データを切り出す画像切り出しステップと、前記画像切り出しステップにて切り出した画像データを前記表示画面に表示する表示ステップとを含み、前記画像切り出しステップにて、前記表示画面が前記第１の状態であった時に前記撮像素子によって撮像した画像データを表示する際に、前記表示画面が前記第１の状態である場合には、長手方向を前記画像データの長手方向に一致させた矩形の第１切り出し範囲によって画像データを切り出し、前記表示画面が前記第２の状態である場合には、前記第１切り出し範囲と同一形状であって、長手方向を前記画像データの短手方向に一致させた矩形の第２切り出し範囲によって画像データを切り出すとともに、前記表示画面が前記第２の状態であった時に前記撮像素子によって撮像した画像データを表示する際に、前記表示画面が前記第１の状態である場合には、前記第２切り出し範囲によって画像データを切り出し、前記表示画面が前記第２の状態である場合には、前記第１切り出し範囲によって画像データを切り出すことを特徴としている。
【００２６】
上記構成および方法によれば、画像切り出し手段は、回転機構によって撮像素子と同一の回転運動をする表示画面の、撮像時における状態と、撮像画像データ格納部に格納された画像データを表示させる際の状態とに応じて、第１切り出し範囲（図８（ａ）（ｄ）の２７）若しくは第２切り出し範囲（図８（ｂ）（ｃ）の２８）内の画像データを切り出す。
【００２７】
この矩形の第１切り出し範囲と第２切り出し範囲とは、矩形の向きは異なるものの、同一形状の範囲であるため、第１切り出し範囲で切り出される画像データの大きさと第２切り出し範囲で切り出される画像データの大きさとは同じである。すなわち、撮像時や、撮像画像データ格納部に格納された画像データの表示時における表示画面の状態によらず、一定の範囲の画像データを切り出して表示することができる。
【００２８】
したがって、表示画面が回転したことにより、表示画面の長手方向と短手方向とが入れ換わっても、切り出して表示される画像データの大きさは同じであるため、表示される被写体の大きさは変わらない。その結果、表示画面の長手方向と短手方向とを切換える際に、被写体の大きさが変化することを防ぐことができ、ユーザはストレスを感じることなしに、表示画面の切換えを行うことができる。
【００２９】
また、上記構成および方法によれば、撮像素子で撮像した画像データを表示画面で表示する際に、一定の範囲の画像データを切り出して表示する構成であるため、従来のように、表示画面の長手・短手方向と、撮像素子の撮像面の長手・短手方向とを常に固定する必要がなく、撮像素子の配置場所を限定する必要がない。これにより、設計の自由度が高くなる。
【００３０】
また、本発明の撮像機能付き端末装置は、前記第１切り出し範囲または前記第２切り出し範囲における長手方向と短手方向との長さの比が、前記表示画面の長手方向と短手方向との長さの比に等しく、前記表示手段は、前記画像切り出し手段によって切り出された画像データを、前記表示画面に全画面表示することが好ましい。
【００３１】
上記構成によれば、第１切り出し範囲若しくは第２切り出し範囲における長手方向と短手方向との長さの比が、該第１切り出し範囲若しくは該第２切り出し範囲で切り出した画像データを表示する表示画面の長手方向と短手方向との長さの比が等しい。したがって、第１切り出し範囲若しくは第２切り出し範囲で切り出した画像データを表示画面で全画面表示する際の、該切り出したデータの長手方向への拡大率と、短手方向への拡大率とを等しくすることができる。その結果、表示画面の長手方向と短手方向とを切換えても、被写体の大きさを変えずに全画面表示することができる。
【００３２】
また、本発明の撮像機能付き端末装置は、通信相手とデータの送受信を行う通信手段をさらに備え、前記撮像画像データ格納部は、前記通信手段を介して、前記通信相手から受信した矩形の画像データを格納することが好ましい。
【００３３】
上記構成によれば、通信相手から受信した画像データを表示画面に表示する際に、表示画面を回転し、該表示画面の長手方向と短手方向とを入れ換えても、通信相手からの画像に含まれる被写体の大きさを変えずに表示することができる。その結果、例えば通話相手の画像を表示しながらテレビ電話等を行う場合に、該テレビ電話中に、表示画面の縦横方向を切換えても、通話相手の画像が急に拡大されたり縮小されたりするおそれがなく、ユーザは快適にテレビ電話等を行うことが可能となる。
【００３４】
なお、上記撮像機能付き端末装置は、コンピュータによって実現してもよく、この場合には、コンピュータを上記各手段として動作させることにより上記撮像機能付き端末装置をコンピュータにて実現させるための制御プログラム、およびそれを記録したコンピュータ読み取り可能な記録媒体も、本発明の範疇に入る。
【発明の効果】
【００３５】
本発明の撮像機能付き端末装置は、以上のように、前記表示画面が前記第１の状態である場合には、長手方向を前記画像データの長手方向に一致させた矩形の第１切り出し範囲によって画像データを切り出し、前記表示画面が前記第２の状態である場合には、前記第１切り出し範囲と同一形状であって、長手方向を前記画像データの短手方向に一致させた矩形の第２切り出し範囲によって画像データを切り出す画像切り出し手段を備えている。      
【００３６】
また、本発明の撮像機能付き端末装置の制御方法は、以上のように、前記撮像画像データ格納部に格納された画像データから、所定の矩形の切り出し範囲に含まれる画像データを切り出す画像切り出しステップと、前記画像切り出しステップにて切り出された画像データを前記表示画面に表示する表示ステップとを含み、前記画像切り出しステップにて、前記表示画面が前記第１の状態である場合には、長手方向を前記画像データの長手方向に一致させた矩形の第１切り出し範囲によって画像データを切り出し、前記表示画面が前記第２の状態である場合には、前記第１切り出し範囲と同一形状であって、長手方向を前記画像データの短手方向に一致させた矩形の第２切り出し範囲によって画像データを切り出す方法である。
【００３７】
また、本発明の撮像機能付き端末装置は、以上のように、前記表示画面が前記第１の状態であった時に前記撮像素子によって撮像された画像データを表示する際に、前記表示画面が前記第１の状態である場合には、長手方向を前記画像データの長手方向に一致させた矩形の第１切り出し範囲によって画像データを切り出し、前記表示画面が前記第２の状態である場合には、前記第１切り出し範囲と同一形状であって、長手方向を前記画像データの短手方向に一致させた矩形の第２切り出し範囲によって画像データを切り出すとともに、前記表示画面が前記第２の状態であった時に前記撮像素子によって撮像された画像データを表示する際に、前記表示画面が前記第１の状態である場合には、前記第２切り出し範囲によって画像データを切り出し、前記表示画面が前記第２の状態である場合には、前記第１切り出し範囲によって画像データを切り出す画像切り出し手段を備えている。
【００３８】
また、本発明の撮像機能付き端末装置の制御方法は、以上のように、前記撮像画像データ格納部に格納された画像データから、所定の矩形の切り出し範囲に含まれる画像データを切り出す画像切り出しステップと、前記画像切り出しステップにて切り出した画像データを前記表示画面に表示する表示ステップとを含み、前記画像切り出しステップにて、前記表示画面が前記第１の状態であった時に前記撮像素子によって撮像した画像データを表示する際に、前記表示画面が前記第１の状態である場合には、長手方向を前記画像データの長手方向に一致させた矩形の第１切り出し範囲によって画像データを切り出し、前記表示画面が前記第２の状態である場合には、前記第１切り出し範囲と同一形状であって、長手方向を前記画像データの短手方向に一致させた矩形の第２切り出し範囲によって画像データを切り出すとともに、前記表示画面が前記第２の状態であった時に前記撮像素子によって撮像した画像データを表示する際に、前記表示画面が前記第１の状態である場合には、前記第２切り出し範囲によって画像データを切り出し、前記表示画面が前記第２の状態である場合には、前記第１切り出し範囲によって画像データを切り出す方法である。
【００３９】
それゆえ、表示画面の縦横方向を切換える際に、ユーザの見易いサイズで被写体を表示することができるという効果を奏する。
【発明を実施するための最良の形態】
【００４０】
〔実施の形態１〕
本発明の一実施形態について図１ないし図４に基づいて説明すれば、以下の通りである。
【００４１】
本実施の形態では、撮像機能付き端末装置として携帯電話機１を用いて説明する。
【００４２】
図２は、本実施の形態における携帯電話機１の外観図であり、（ａ）は表示画面を回転させる前の状態を示す外観図であり、（ｂ）は表示画面を回転した後の状態を示す外観図である。
【００４３】
図２（ａ）で示すように、本実施の形態の携帯電話機１（カメラ機能付端末装置）は、開状態および閉状態の２つの状態を有する折り畳み式携帯電話機であって、表示画面８を備える筺体２が、操作ボタン群９を備える筺体３に、ヒンジ部４によって回動自在に連結されている。筐体２を筐体３に対して回動させることで、携帯電話機１は開閉する。ここで、携帯電話機１の閉状態とは、筺体２における表示画面８と筺体３の操作ボタン群９とが内側で接触する状態をいい、一方、開状態とは、図２（ａ）で示すように、筺体２における表示画面８と筺体３の操作ボタン群９とがそれぞれ外側に露出する状態をいう。
【００４４】
具体的には、筐体２は、回転機構部５（回転機構）と表示部６（表示手段）とを有する。回転機構部５とは、図２（ｂ）に示すように、表示部６を、前記筐体２の開閉する方向（以下、開閉方向）に対して直交する方向に９０度回転させる機構である。本実施の形態の表示部６は、前記開閉方向に対して９０度までしか回転することができない構成であるが、２７０度回転できる構成であってもよい。表示部６は、撮影した被写体の画像等を表示する表示画面８を備える。ここで、表示画面８は、長手方向の長さがＬ５、短手方向の長さがＬ６の矩形である。
【００４５】
筐体３は、被写体を撮影するための撮影レンズ７と、ユーザが操作入力するための操作ボタンからなる操作ボタン群９を備える。撮影レンズ７は、図２（ａ）で示すように、筐体３における操作ボタン群９が備えられる面と対向する面に設けられている。
【００４６】
また、本実施の形態では、表示画面８が縦長である状態が基準として設計され、回転機構部５によって回転させられることによって、表示画面８が横長の状態となる。ここで、回転機構部５によって回転させる前の表示部６における縦長の表示画面８の状態を縦表示画面状態（第１の状態）といい、回転機構部５によって縦表示画面状態から９０度回転させた後の表示部６における横長の表示画面８の状態を横表示画面状態（第２の状態）という。また、ここでいう表示画面８の縦方向とは、携帯電話機１の開状態において、筐体２に対して筐体３が存在する方向をいう。一方、横方向とは、表示画面８における該縦方向に対して直交する方向をいう。
【００４７】
（携帯電話機の構成）
次に、携帯電話機１の構成について、図１を用いて説明する。
【００４８】
図１は、本実施の形態における携帯電話機１の概略構成を示す機能ブロック図である。
【００４９】
図１に示すように、携帯電話機１は、通信部１１と、操作入力部１２と、カメラ部１３と、記憶部１４と、制御部１５とを有する。
【００５０】
通信部１１（通信手段）は、通信制御部１６を介して、他の端末装置と通信を行うものである。操作入力部１２は、操作ボタン群９を介して入力されたユーザの操作指示を制御部１５に出力するものである。カメラ部１３は、撮影レンズ７を介して被写体を撮像するものであり、撮像した画像データを制御部１５におけるカメラ制御部１８に出力する。また、カメラ部１３（撮像素子）は、矩形の撮像面を有する。ここで、撮像面とは、例えば、ＣＣＤ等の撮像装置の光照射面に相当するものである。
【００５１】
記憶部１４は、撮像画像用メモリ２４（撮像画像データ格納部）と、縦表示画面用切り出し範囲格納部２５と、横表示画面用切り出し範囲格納部２６とを備えている。
【００５２】
撮像画像用メモリ２４は、カメラ部１３で撮像した矩形の画像データや、通信制御部１６を介して受信した他の端末装置からの矩形の画像データを格納するものである。縦表示画面用切り出し範囲格納部２５は、縦表示画面状態の表示画面８に、撮像画像用メモリ２４に格納された画像データの一部を切り出して表示する際に用いる縦表示画面用切り出し範囲２７（第１切り出し範囲）を予め格納しているものである。横表示画面用切り出し範囲格納部２６は、横表示画面の表示画面８で、撮像画像用メモリ２４に格納された画像データの一部を切り出して表示する際に用いる横表示画面用切り出し範囲２８（第２切り出し範囲）を予め格納しているものである。縦表示画面用切り出し範囲２７および横表示画面用切り出し範囲２８の詳細な説明については後述する。
【００５３】
制御部１５は、通信制御部１６と、回転機構制御部１７と、カメラ制御部１８と、表示画面方向検出部１９と、切り出し範囲切換部２０と、縦表示画面用切り出し部（画像切り出し手段）２１と、横表示画面用切り出し部（画像切り出し手段）２２と、拡大部２３とを含んでいる。
【００５４】
通信制御部１６は、通信部１１を制御するものであり、具体的には、カメラ部１３で撮像した画像データやマイク（図示しない）を介して入力されたユーザの音声データ等を、通信部１１を介して他の端末装置に送信したり、他の端末装置からの画像データや音声データを、通信部１１を介して受信したりするものである。
【００５５】
通信制御部１６は、他の端末装置から画像データを受信すると、該受信した画像データを記憶部１４の撮像画像用メモリ２４に出力する。また、通信制御部１６は、受信した音声データをスピーカ部（図示せず）に出力し、スピーカ部を介して外部へ出力するようになっている。
【００５６】
また、通信制御部１６は、カメラで撮像した画像データを他の端末装置に送信する際には、カメラ制御部１８から入力された画像データを、通信部１１を介して他の端末装置に送信する。
【００５７】
回転機構制御部１７は、操作入力部１２を介して入力されたユーザの指示に従って、回転機構部５を制御するものである。具体的には、ユーザが、表示画面８を縦表示画面状態から横表示画面状態にすべく、表示部６を回転させる操作ボタンを押下すると、回転機構部５の起動指示が、操作入力部１２を介して回転機構制御部１７に入力される。回転機構制御部１７は、該起動指示に基づいて、回転機構部５を起動させ、表示画面８が横表示画面状態となるように、表示部６を９０度回転させる。
【００５８】
また、回転機構制御部１７は、表示部６を９０度回転させると、表示部６を回転させた旨を、表示画面方向検出部１９に伝達する。
【００５９】
また、ここでは、操作ボタンを押下することによって、回転機構部５を自動的に回転させる構成であるが、ユーザが表示部６を把持し回転させる方向に力を加えることによって、手動的に回転させる構成であってもよい。
【００６０】
カメラ制御部１８は、操作入力部１２を介して入力されたユーザの指示に従って、カメラ部１３を制御するものである。具体的には、カメラ制御部１８は、ユーザが撮像ボタンを押下することにより、操作入力部１２を介して入力される撮像指示に基づき、被写体を撮像するようにカメラ部１３を制御する。
【００６１】
また、カメラ制御部１８は、カメラ部１３によって撮像した画像データを記憶部１４に出力し、撮像画像用メモリ２４に格納させる。
【００６２】
表示画面方向検出部１９は、回転機構制御部１７の指示に基づき、表示画面８が縦表示画面状態であるか、横表示画面状態であるかを検出するものである。回転機構制御部１７から表示部６が回転した旨が入力されると、該表示画面方向を検出し、該検出した表示画面方向の情報を切り出し範囲切換部２０に出力する。ここで、表示画面方向とは、表示画面８の矩形の向き、すなわち、縦表示画面状態であれば縦向き、横表示画面状態であれば横向きのことをいう。
【００６３】
具体的には、表示画面方向検出部１９は、表示部６が表示画面８に向かって反時計周りに回転されたのを検知すると、表示画面方向が横向きであると検出する。一方、表示部６が表示画面８に向かって時計周りに回転されたのを検知すると、表示画面方向検出部１９は、表示画面が縦向きであると検出する。
【００６４】
ところで、本実施の形態における携帯電話機１は、撮像した画像を表示画面８に表示する際に、撮像画像用メモリ２４に格納されている画像データのうち、被写体を含む一部分を切り出し、該切り出した部分を拡大して表示画面８に表示させている。
【００６５】
切り出し範囲切換部２０は、表示画面方向検出部１９からの表示画面方向の情報に応じて、撮像画像用メモリ２４に格納されている画像データから切り出す範囲を、縦表示画面用切り出し範囲２７を用いて切り出すか、横表示画面用切り出し範囲２８を用いて切り出すかを切換えるものである。
【００６６】
具体的には、縦表示画面状態の表示画面８が基準となるように設計されているため、切り出し部としては、まず、縦表示画面用切り出し部２１が選択されている。切り出し範囲切換部２０は、表示画面８が横表示画面状態に回転した旨の情報を表示画面方向検出部１９から受けると、縦表示画面用切り出し部２１を横表示画面用切り出し部２２に切換える。さらに、切り出し範囲切換部２０は、表示画面８が縦表示画面状態となるように、表示部６が回転した旨の情報を受けると、横表示画面用切り出し部２２を縦表示画面用切り出し部２１に切換える。
【００６７】
縦表示画面用切り出し部２１は、撮像画像用メモリ２４に格納されている画像データ２９のうち、縦表示画面用切り出し範囲格納部２５に予め格納されている縦表示画面用切り出し範囲２７に含まれる画像を切り出すものである。
【００６８】
具体的には、切り出し範囲切換部２０から、縦表示画面用切り出し部２１が選択された旨の指示を受けると、縦表示画面用切り出し部２１は、撮像画像用メモリ２４に格納されている画像データ２９を取得するとともに、縦表示画面用切り出し範囲格納部２５から縦表示画面用切り出し範囲２７のデータを取得する。そして、縦表示画面用切り出し部２１は、撮像画像用メモリ２４から取得した画像データ２９と、縦表示画面用切り出し範囲２７とを照らし合わせて、縦表示画面用切り出し範囲２７に含まれる画像データのみを切り出し、拡大部２３に出力する。ここで、撮像画像用メモリ２４に格納されている画像データ２９は、長手方向の長さがＬ３、短手方向の長さがＬ４の矩形の画像データである。
【００６９】
図３は、本実施の形態における撮像画像用メモリ２４に格納されている画像データ２９と、表示画面８との関係を示す説明図であり、（ａ）は表示画面８を回転させる前の該画像データ２９と表示画面８との関係を示す説明図であり、（ｂ）は表示画面８を回転させた後の該画像データ２９と表示画面８との関係を示す図である。
【００７０】
図３（ａ）、（ｂ）の紙面向かって左側の図が、撮像画像用メモリ２４に格納されている画像データ２９を示す図であり、紙面向かって右側の図が表示画面８で表示される画像を示す図である。
【００７１】
ここで、縦表示画面用切り出し範囲２７は、図３（ａ）の紙面に向かって左側の図における矩形の太線枠で囲まれた部分で示すように、長手方向（ここでは縦方向）の長さがＬ１、短手方向（ここでは横方向）の長さがＬ２の縦長の矩形範囲である。具体的には、縦表示画面用切り出し範囲２７は、撮像画像用メモリ２４から取得した画像データ２９の長手方向（ここでは縦方向）と、該縦表示画面用切り出し範囲２７の長手方向とが一致する縦長の矩形の範囲であって、縦表示画面用切り出し範囲２７の縦方向の長さＬ１が該画像データ２９の横方向の長さＬ４以下となっている。
【００７２】
また、該縦表示画面用切り出し範囲２７の長手方向と短手方向との長さの比（Ｌ１：Ｌ２）が、表示画面８の長手方向と短手方向との長さの比（Ｌ５：Ｌ６）と一致していることが好ましい。
【００７３】
これにより、切り出した画像データを、表示画面８で表示する際の長手方向への拡大と、短手方向への拡大とを、同じ拡大率で拡大することが可能となり、該切り出した画像データを表示画面８に全画面表示することができる。
【００７４】
また、縦表示画面用切り出し部２１は、縦表示画面用切り出し範囲２７の長手方向と、撮像画像用メモリ２４に格納されている画像データ２９の長手方向とを一致させるだけでなく、縦表示画面用切り出し範囲２７内に、画像データの被写体部分が一番多く含まれるように、縦表示画面用切り出し範囲２７の位置を設定する。
【００７５】
また、縦表示画面用切り出し部２１は、さらに、被写体を含む画像データ２９の画像解析を行うことにより、画像データ２９における被写体の中央を検出して、該被写体の中央と、縦表示画面用切り出し範囲２７の中央とを一致させることが好ましい。
【００７６】
上記構成によれば、切り出した画像データ内において、被写体は中央付近に存在することになるため、切り出した画像データを表示画面で表示させる場合、表示画面の中央付近に被写体を表示させることが可能となる。
【００７７】
例えば、被写体の中央が、図３（ａ）で示すように撮像画像用メモリ２４に格納されている画像データの中央にある場合は、縦表示画面用切り出し部２１は、該画像データの中央と、縦表示画面用切り出し範囲２７の中央とが一致するように、縦表示画面用切り出し範囲２７を設定し、該縦表示画面用切り出し範囲内に含まれる画像データを切り出す。
【００７８】
横表示画面用切り出し部２２は、撮像画像用メモリ２４に格納されている画像データのうち、横表示画面用切り出し範囲格納部２６に予め格納されている横表示画面用切り出し範囲２８に含まれる画像データを切り出すものである。
【００７９】
具体的には、切り出し範囲切換部２０から、横表示画面用切り出し部２２が選択された旨の指示を受けると、横表示画面用切り出し部２２は、撮像画像用メモリ２４に格納されている画像データを取得するとともに、横表示画面用切り出し範囲格納部２６から横表示画面用切り出し範囲２８のデータを取得する。そして、横表示画面用切り出し部２２は、撮像画像用メモリ２４から取得した画像データと、横表示画面用切り出し範囲２８とを照らし合わせて、撮像画像用メモリ２４から取得した画像データのうち、横表示画面用切り出し範囲２８内に含まれる画像データのみを切り出し、拡大部２３に出力する。
【００８０】
ここで、横表示画面用切り出し範囲２８は、図３（ｂ）の紙面向かって左側の図における矩形の太線枠で囲まれた部分で示すように、長手方向（ここでは横方向）の長さがＬ１、短手方向（ここでは、縦方向）の長さがＬ２の横長の矩形範囲である。すなわち、縦表示画面用切り出し範囲２７と同一形状のものを９０度回転させたものと等しい。具体的には、横表示画面用切り出し範囲２８は、撮像画像用メモリ２４から取得した画像データ２９の短手方向（ここでは、横方向）と、該横表示画面用切り出し範囲２８の長手方向とが一致する横長の矩形の範囲であって、縦表示画面用切り出し範囲２７の横方向の長さＬ１は該画像データ２９の横方向の長さＬ４以下となっている。
【００８１】
また、該横表示画面用切り出し範囲２８の長手方向と短手方向との長さの比（Ｌ１：Ｌ２）が、表示画面８の長手方向と短手方向との長さの比（Ｌ５：Ｌ６）と一致していることが好ましい。
【００８２】
これにより、切り出した画像データを、表示画面８で表示する際の長手方向への拡大と、短手方向への拡大とを、同じ拡大率で拡大することが可能となり、該切り出した画像データを表示画面８に全画面表示することができる。
【００８３】
また、横表示画面用切り出し部２２は、横表示画面用切り出し範囲２８の長手方向と、撮像画像用メモリ２４に格納されている画像データ２９の短手方向とを一致させるだけでなく、横表示画面用切り出し範囲２８内に、画像データ２９の被写体部分が一番多く含まれるように、横表示画面用切り出し範囲２８の位置を設定する。
【００８４】
また、横表示画面用切り出し部２２は、さらに、画像データ２９における被写体の中央を検出して、該被写体の中央と、横表示画面用切り出し範囲２８の中央とを一致させることが好ましい。
【００８５】
上記構成によれば、切り出した画像データ内において、被写体は中央付近に存在することになるため、切り出した画像データを表示画面で表示させる場合、表示画面の中央付近に被写体を表示させることが可能となる。
【００８６】
また、縦表示画面用切り出し範囲２７および横表示画面用切り出し範囲２８の長手方向の長さＬ１が、撮像画像用メモリ２４から取得した画像データ２９の短手方向の長さＬ４と等しいことが好ましい。
【００８７】
上記構成によれば、画像データ２９の横方向における最大の範囲を切り取ることができるため、切り取り範囲をより大きく設定することができ、被写体が横方向に大きい場合であっても、被写体全体を含むことが可能となる。
【００８８】
また、画像データ２９の長手方向と短手方向との長さの比（Ｌ３：Ｌ４）が、表示画面８の長手方向と短手方向との長さの比（Ｌ５：Ｌ６）と一致していることが好ましく、さらには、縦表示画面用切り出し範囲２７および横表示画面用切り出し範囲２８の長手方向と短手方向との長さの比（Ｌ１：Ｌ２）と、画像データ２９の長手方向と短手方向との長さの比（Ｌ３：Ｌ４）とが一致していることが好ましい。
【００８９】
ところで、矩形の縦表示画面用切り出し範囲２７および横表示画面用切り出し範囲２８は、まず、画像データ２９の短手方向の長さを１辺とする正方形を切り出し、該正方形から、該正方形の１辺を長手方向の辺とする矩形を成形することにより、設定することができる。
【００９０】
例えば、縦表示画面用切り出し範囲２７および横表示画面用切り出し範囲２８の長手方向と短手方向との長さの比（Ｌ１：Ｌ２）と、画像データ２９の長手方向と短手方向との長さの比（Ｌ３：Ｌ４）とが一致する場合では、まず、画像データ２９の短手方向の長さ（Ｌ４）を１辺とする正方形を切り出す。そして、該正方形から、該正方形の１辺を長手方向の辺とし、長手方向と短手方向との長さの比が、撮像画像データの長手方向と短手方向との長さの比（Ｌ３：Ｌ４）と等しくなるような矩形を成形することができる。すなわち、該方法で成形された縦表示画面用切り出し範囲２７および横表示画面用切り出し範囲２８は、図３（ａ）（ｂ）で示すように、長手方向の長さＬ１が、撮像画像データの短手方向の長さと等しいＬ４であり、短手方向の長さＬ２がＬ２＝Ｌ１・Ｌ４／Ｌ３で求められる。
【００９１】
拡大部２３は、縦表示画面用切り出し部２１によって切り出された画像データ、または、横表示画面用切り出し部２２によって切り出された画像データを、表示画面８の全面で表示するように、該切り出された画像を拡大し、表示部６に出力する。そして、表示部６が、図３（ａ）または図３（ｂ）で示すように、縦表示画面用切り出し部２１または横表示画面用切り出し部２２によって切り出された画像を、表示画面８において拡大表示する。
【００９２】
具体的には、拡大部２３は、縦・横表示画面用切り出し範囲２７・２８の縦横比Ｌ１：Ｌ２と、表示画面８の縦横比Ｌ５：Ｌ６とが等しい場合は、縦表示画面用切り出し部２１によって切り出された画像データを、図３（ａ）の紙面に向かって右側の図で示すように、縦方向と横方向との拡大率とが等しくなるように拡大する。
【００９３】
また、拡大部２３は、縦・横表示画面用切り出し範囲２７・２８の縦横比Ｌ１：Ｌ２と、表示画面８の縦横比Ｌ５：Ｌ６とが等しくない場合には、表示画面８の範囲に納まる範囲内で縦・横表示画面用切り出し範囲２７・２８が最大となるように、縦・横表示画面用切り出し範囲２７・２８の範囲で切り出された画像を拡大する。
【００９４】
次ぎに、表示画面８が基準の縦表示画面状態であり、他の端末装置から受信した画像データを表示画面８に表示する場合について説明すると以下の通りである。
【００９５】
切り出し範囲切換部２０は、まず、表示画面８が縦表示画面状態であるため、縦表示画面用切り出し部２１を選択する。そして、縦表示画面用切り出し部２１が、他の端末装置から通信制御部１６を介して撮像画像用メモリ２４に格納された画像データを撮像画像用メモリ２４から取得する。また、縦表示画面用切り出し部２１は、縦表示画面用切り出し範囲格納部２５から、予め格納されている縦表示画面用切り出し範囲２７を取得する。そして、縦表示画面用切り出し部２１は、取得した縦表示画面用切り出し範囲２７に基づいて、撮像画像用メモリ２４から取得した画像データのうち縦表示画面用切り出し範囲２７に含まれる部分を切り出し、拡大部２３へ出力する。拡大部２３は、縦表示画面用切り出し部２１から入力された画像データを、表示画面８内に納まる範囲で最大となるように、拡大して、表示部６に出力する。
【００９６】
（携帯電話機の動作）
次に、図４を用いて携帯電話機１の動作、特に、撮像した画像を切り出すための切り出し部の切換動作について説明する。
【００９７】
図４は、携帯電話機１の動作を説明するためのフローチャート図である。
【００９８】
携帯電話機１のユーザが、撮像ボタンを押下すると、カメラ部１３は被写体を撮像する（Ｓ１のＹＥＳ）。カメラ部１３によって撮像された画像データは、カメラ制御部１８を介して、撮像画像用メモリ２４に格納される（Ｓ２）。また、携帯電話機１の表示部６は、縦長の表示画面８が基準となるように設計されているが（Ｓ３）、ユーザによる操作指示で回転機構部５が作動すると（Ｓ４のＹＥＳ）、表示部６が回転し、表示画面８は横長の表示画面に切り換わる。表示画面方向検出部１９は、該回転機構部５の回転動作を検知することによって、表示画面８の方向が横長である、すなわち表示画面８が横長表示画面状態であると検出し（Ｓ５）、該検出した方向の情報を切り出し範囲切換部２０に出力する。表示画面８の方向が横長である旨の指示を受けた切り出し範囲切換え部２０は、切り出し部として、横表示画面用切り出し部２２に切換える（Ｓ６）。横表示画面用切り出し部２２は、カメラ部１３で撮影し格納されている画像データ２９を撮像画像用メモリ２４から取得するとともに、横表示画面用切り出し範囲格納部２６から横表示画面用切り出し範囲２８を取得する。そして、撮像画像用メモリ２４から取得した画像データ２９に、横表示画面用切り出し範囲格納部２６から取得した横表示画面用切り出し範囲２８を照らし合わせて、該横表示画面用切り出し範囲２８内に含まれる画像データを切り出す（Ｓ７）。横表示画面用切り出し部２２は、Ｓ７で切り出した画像データを拡大部２３へ出力し、表示画面８に該画像データを表示させる（Ｓ８）。
【００９９】
また、Ｓ４で回転機構部５を作動させない場合（Ｓ４のＮＯ）、表示部６は回転しないため、表示画面８は縦長の表示画面のままである。表示画面方向検出部１９は、表示画面８の方向が縦長である、すなわち表示画面８が縦長の表示画面であると検出し（Ｓ９）、該検出した方向の情報を切り出し範囲切換部２０に出力する。表示画面８の方向が縦長である旨の指示を受けた切り出し範囲切換え部２０は、切り出し部として、縦表示画面用切り出し部２１を選択する（Ｓ１０）。縦表示画面用切り出し部２１は、カメラ部１３で撮影し格納されている画像データ２９を撮像画像用メモリ２４から取得するとともに、縦表示画面用切り出し範囲格納部２５から縦表示画面用切り出し範囲２７を取得する。そして、撮像画像用メモリ２４から取得した画像データ２９に、縦表示画面用切り出し範囲格納部２５から取得した縦表示画面用切り出し範囲２７を照らし合わせて、該縦表示画面用切り出し範囲内に含まれる画像データを切り出す（Ｓ１１）。縦表示画面用切り出し部２１は、Ｓ１１で切り出した画像データを拡大部２３へ出力し、表示画面８に該画像データを表示させる（Ｓ８）。
【０１００】
また、携帯電話機１のユーザがカメラ部１３で被写体を撮像しなくても（Ｓ１のＮＯ）、通信相手から通信制御部１６を介して、該通信相手の画像データを受信すると（Ｓ１２のＹＥＳ）、携帯電話機１は、該受信した画像データを撮像画像用メモリ２４に格納する（Ｓ２）。そして、携帯電話機１は、カメラ部１３で撮像し、撮像画像用メモリ２４に格納したデータと同様に、通信相手から受信した画像データを取得し、表示画面に合わせて切り出す。その後の動作は、上述したＳ３〜Ｓ１１で説明した動作と同じである。また、Ｓ１２で通信相手からも画像データ等を受信しなければ、携帯電話機１は撮像した画像を切り出すための切り出し部の切換動作を行わない（Ｓ１２のＮＯ）。
【０１０１】
上記構成によれば、表示画面方向検出部１９によって表示画面の方向を検出することができ、該検出した表示画面の方向に応じて、縦表示画面用切り出し部２１または横表示画面用切り出し部２２に切換えることが可能である。
【０１０２】
また、縦表示画面用切り出し部２１で、撮像した画像データを切り出す際に用いられる縦表示画面用切り出し範囲２７と、横表示画面用切り出し部２２で、撮像した画像データを切り出す際に用いられる横表示画面用切り出し範囲２８とは同一形状であるため、切り出されて表示される画像の範囲は、表示画面８の状態によらず一定である。一定の範囲の画像データを切り出して、表示することができる。
【０１０３】
したがって、表示画面８を縦表示画面状態から横表示画面状態に切換えても、表示画面８上の被写体の大きさを一定の大きさに保つことが可能となるため、表示画面８の縦横切換え時に、被写体が急にアップで表示されたり、小さく表示されたりするおそれがなくなる。
【０１０４】
〔実施の形態２〕
本発明の他の実施の形態について図５〜図７に基づいて説明すれば、以下の通りである。実施の形態１では、操作ボタンを有する筐体側に撮影レンズを設ける構成であったが、本発明はこれに限られない。
【０１０５】
本実施の形態の携帯電話機６１は、表示画面を有する表示部６６に撮影レンズ６７を設ける点と、制御部４１が回転部４２をさらに備える点とで実施の形態１の携帯電話機１と異なる構成であるが、それ以外の構成は同一であるため、説明の便宜上、実施の形態１の図面に示した部材と同一の機能を有する部材については、同一の符号を付し、その説明を省略する。
【０１０６】
図５は、実施の形態１における携帯電話機１の変形例である携帯電話機６１を示す外観図である。
【０１０７】
本実施の携帯電話機６１は、図５に示すように、開状態および閉状態の２つの状態を有する折り畳み式携帯電話機であって、表示画面６８を備える筺体６２が、操作ボタン群６９を備える筺体６３に、ヒンジ部６４によって回動自在に連結されている。筐体６２を筐体６３に対して回動させることで、携帯電話機６１は開閉する。
【０１０８】
具体的には、筐体６２は、回転機構部６５と、表示部６６を有する。回転機構部６５とは、図５（ｂ）で示すように、表示部６６を、前記筐体６２の開閉する方向（以下、開閉方向）に対して直交する方向に９０度回転させる機構である。本実施の形態の表示部６６は、前記開閉方向に対して９０度までしか回転することができない構成であるが、２７０度の範囲内において回転できる構成であってもよい。表示部６６は、被写体を撮影するのに用いる撮影レンズ６７と、該撮影した被写体の画像を表示する表示画面６８とを有する。
【０１０９】
また、筐体６３は、ユーザが操作入力するための操作ボタンからなる操作ボタン群６９を備える。
【０１１０】
図６は、本実施の形態における携帯電話機６１の構成を示す機能ブロック図である。
【０１１１】
図７（ａ）は、回転させたカメラ部１３で撮像され撮像画像用メモリ２４に格納された画像データ２９と、該画像データ２９のうち切り出し範囲で切り出された画像と、表示画面６８で表示される画像との関係を示す説明図である。（ｂ）は、回転前のカメラ部１３で撮像され上記撮像画像用メモリ２４に格納された画像データ２９と、表示画面６８で表示される画像との関係を示す説明図である。
【０１１２】
本実施の形態では、表示部６６に撮影レンズ６７が設けられているため、表示部６６が９０度回転して表示画面６８が横表示画面状態となったとき、カメラ部１３の撮像面も９０度回転する。この状態では、撮像面が９０度回転した状態で、被写体を撮影することになるため、撮像画像用メモリ２４に格納される該撮影した画像は、図７（ａ）の紙面に向かって一番左側の図で示すように、被写体が９０度回転した状態で格納される。
【０１１３】
本実施の形態における携帯電話機６１の制御部４１は、図６に示すように、実施の形態１の携帯電話機１とは異なる表示画面方向検出部４３、切り出し範囲切換部４４、縦表示画面用切り出し部４５、横表示画面用切り出し部４６、回転部４２を備える。
【０１１４】
本実施の形態における表示画面方向検出部４３は、カメラ部１３で撮像する時に、まず撮像時の表示画面６８の方向を検出し、検出した撮像時の表示画面方向を切り出し範囲切換部４４に出力する。また、撮像後、表示画面方向検出部４３が、回転機構制御部１７によって表示画面６８が回転された旨を検知した場合には、切り出し範囲切換部４４にその旨を指示する。
【０１１５】
切り出し範囲切換部４４は、表示画面方向検出部４３で検出した表示画面方向に従って、縦表示画面用切り出し部４５または横表示画面用切り出し部４６のいずれか一方を選択する。
【０１１６】
また、切り出し範囲切換部４４は、縦表示画面用切り出し部４５または横表示画面用切り出し部４６のうちの選択した方に、表示画面方向検出部４３から取得した撮像時の表示画面方向のデータを出力する。
【０１１７】
縦表示画面用切り出し部４５は、撮像画像用メモリ２４に格納されている画像データ２９から、縦表示画面用切り出し範囲２７内、または横表示画面用切り出し範囲２８内の画像を切り出すものである。
【０１１８】
具体的には、縦表示画面用切り出し部４５には、切り出し範囲切換部４４から、縦表示画面用切り出し部４５が選択された旨の指示と、表示画面方向検出部４３から取得した撮像時の表示画面方向のデータとが入力される。そして、縦表示画面用切り出し部４５は、自身が選択された旨の指示を受けて、撮像画像用メモリ２４に格納されている画像データ２９を取得するとともに、切り出し範囲切換部４４から取得した撮像時の表示画面方向に応じて、縦表示画面用切り出し範囲格納部２５または横表示画面用切り出し範囲格納部２６から、縦表示画面用切り出し範囲２７または横表示画面用切り出し範囲２８のデータを取得する。
【０１１９】
縦表示画面用切り出し部４５は、切り出し範囲切換部４４から取得した撮像時の表示画面方向が縦方向であるときは、縦表示画面用切り出し範囲格納部２５から、縦表示画面用切り出し範囲２７を取得する。そして、縦表示画面用切り出し部４５は、撮像画像用メモリ２４から取得した画像データ２９と、縦表示画面用切り出し範囲２７とを照らし合わせて、縦表示画面用切り出し範囲２７に含まれる画像データのみを切り出し、拡大部２３に出力する。
【０１２０】
また、縦表示画面用切り出し部４５は、切り出し範囲切換部４４から取得した撮像時の表示画面方向が横方向であるときは、横表示画面用切り出し範囲格納部２６から、横表示画面用切り出し範囲２８を取得する。そして、縦表示画面用切り出し部４５は、撮像画像用メモリ２４から取得した画像データ２９と、横表示画面用切り出し範囲２８とを照らし合わせて、横表示画面用切り出し範囲２８に含まれる画像データのみを切り出し、回転部４２に出力する。
【０１２１】
横表示画面用切り出し部４６は、撮像画像用メモリ２４に格納されている画像データ２９から、横表示画面用切り出し範囲２８内または縦表示画面用切り出し範囲２７内に含まれる画像を切り出すものである。
【０１２２】
具体的には、横表示画面用切り出し部４６には、切り出し範囲切換部４４から、横表示画面用切り出し部４６が選択された旨の指示と、表示画面方向検出部４３から取得した撮像時の表示画面方向のデータとが入力される。そして、横表示画面用切り出し部４６は、自身が選択された旨の指示を受けて、撮像画像用メモリ２４に格納されている画像データ２９を取得するとともに、切り出し範囲切換部４４から取得した撮像時の表示画面方向に応じて、縦表示画面用切り出し範囲格納部２５または横表示画面用切り出し範囲格納部２６から、縦表示画面用切り出し範囲２７または横表示画面用切り出し範囲２８のデータを取得する。
【０１２３】
横表示画面用切り出し部４６は、切り出し範囲切換部４４から取得した撮像時の表示画面方向が縦方向であるときは、横表示画面用切り出し範囲格納部２６から、横表示画面用切り出し範囲２８を取得する。そして、横表示画面用切り出し部４６は、撮像画像用メモリ２４から取得した画像データ２９と、横表示画面用切り出し範囲２８とを照らし合わせて、横表示画面用切り出し範囲２８に含まれる画像データのみを切り出し、拡大部２３に出力する。
【０１２４】
また、横表示画面用切り出し部４６は、切り出し範囲切換部４４から取得した撮像時の表示画面方向が横方向であるときは、縦表示画面用切り出し範囲格納部２５から、縦表示画面用切り出し範囲２７を取得する。そして、横表示画面用切り出し部４６は、撮像画像用メモリ２４から取得した画像データ２９と、縦表示画面用切り出し範囲２７とを照らし合わせて、縦表示画面用切り出し範囲２７に含まれる画像データのみを切り出し、回転部４２に出力する。
【０１２５】
回転部４２は、縦表示画面用切り出し部４５または横表示画面用切り出し部４６で切り出された画像を、図７（ａ）の紙面に向かって中央の図で示すように、９０度回転させ、回転させた後の画像データを、拡大部２３に出力し、表示部６６で表示させる。
【０１２６】
具体的には、縦表示画面用切り出し部４５または横表示画面用切り出し部４６は、切り出し範囲切換部４４から取得した撮像時の表示画面方向が横方向であるときに、切り出した画像データを回転部４２に出力する。
【０１２７】
一方、縦表示画面用切り出し部４５または横表示画面用切り出し部４６は、切り出し範囲切換部４４から取得した撮像時の表示画面方向が縦方向であるときは、回転部４２を介さずに、拡大部２３に出力する。
【０１２８】
表示部６６は、拡大部２３で拡大された画像データを、図７（ａ），（ｂ）の紙面に向かって右側の図で示すように、表示画面６８の一部の領域に表示する。
【０１２９】
上記構成によれば、縦表示画面用切り出し部４５または横表示画面用切り出し部４６は、表示画面６８の回転に従って回転するカメラ部１３による撮像時の、表示画面６８の状態と、撮像画像用メモリ２４に格納された画像データ２９を表示画面６８で表示させる際の表示画面６８の状態とに応じて、縦表示画面用切り出し範囲２７または横表示画面用切り出し範囲２８のいずれかで、撮像画像用メモリ２４に格納された画像データ２９を切り出す。
【０１３０】
ここで、縦表示画面用切り出し範囲２７と横表示画面用切り出し範囲２８とは、矩形の向きは異なるものの、同一形状の範囲であるため、これらの切り出し範囲で切り出される画像データの大きさは同じである。すなわち、撮像時、および、撮像画像用メモリ２４に格納された画像データ２９を表示させる時の表示画面６８の状態によらず、一定の範囲の画データを切り出して、表示することができる。
【０１３１】
したがって、表示画面６８が回転したことにより、表示画面６８の縦横方向が入れ替わっても、表示画面６８において被写体の大きさを変えずに表示することができる。その結果、表示画面６８の縦横方向を切換える際に、ユーザに不快感を与えることなく、表示画面６８に画像を表示することが可能となる。
【０１３２】
なお、実施の形態２における表示部６６は、表示画面６８の一部の領域のみに、縦表示画面用切り出し部４５または横表示画面用切り出し部４６で切り出した図面を表示する構成であるが、実施の形態１と同様に、表示画面６８の範囲内に納まる範囲の最大の大きさに拡大部２３で拡大し、表示部６６で表示する構成であってもよい。
【０１３３】
また、実施の形態１および２では、縦長の表示画面を基準とした携帯電話機を用いて説明したが、本発明の端末装置はこれに限られず、横長の表示画面を基準とし、回転機構によって回転させることによって縦長の表示画面に変形する構成であってもよい。
【０１３４】
また、実施の形態１および２では、カメラ部１３で撮影した画像を撮像画像用メモリ２４に格納し、該格納した画像データを表示部６・６６で表示する際に、縦表示画面用切り出し部２１・４５または横表示画面用切り出し部２２・４６で、所定の切り出し範囲で切り出す構成であるが、本発明はこれに限られない。本発明は、カメラ部１３で撮影する際に、縦表示画面用切り出し部２１・４５または横表示画面用切り出し部２２・４６で、所定の切り出し範囲で切り出す構成であってもよい。具体的には、表示画面方向検出部によって表示画面が縦方向であると検知された場合、カメラ制御部１８は、撮像面に写しだされた画像と、縦表示画面用切り出し範囲とを照らし合わせて、該切り出し範囲に含まれる画像のみを切り出して、撮像画像用メモリ２４に格納する構成であってもよい。
【０１３５】
また、実施の形態２では、カメラ部１３で撮像した画像を撮像画像用メモリ２４に格納し、縦表示画面用切り出し部４５または横表示画面用切り出し部４６が、撮像画像用メモリ２４に格納された画像データのうち、所定の切り出し範囲に含まれるデータのみを切り出し、表示する構成であるが、本発明はこれに限られない。本発明は、撮像された画像データのうち、該所定の切り出し範囲に含まれる部分のデータのみを撮像画像用メモリ２４に格納し、表示する構成であってもよい。
【０１３６】
具体的には、図６を用いて説明すると以下のとおりである。
【０１３７】
縦表示画面用切り出し部４５または横表示画面用切り出し部４６が、縦表示画面用切り出し範囲格納部２５または横表示画面用切り出し範囲格納部２６から取得した縦表示画面用切り出し範囲２７または横表示画面用切り出し範囲２８を、カメラ制御部１８に出力する。
【０１３８】
カメラ制御部１８は、カメラ部１３で撮像した画像データのうち、取得した縦表示画面用切り出し範囲２７または横表示画面用切り出し範囲２８に含まれる画像データのみを撮像画像用メモリ２４に格納する構成であってもよい。
【０１３９】
上記構成によれば、撮像画像用メモリ２４は、縦表示画面用切り出し範囲２７または横表示画面用切り出し範囲２８に含まれるデータ信号のみを格納するため、撮像画像用メモリ２４において、１画像を格納するために必要な格納量を低減することができるため、より多くの画像を格納することが可能となる。
【０１４０】
また、実施の形態１および２では、同じ形状である縦表示画面用切り出し範囲２７と、横表示画面用切り出し範囲２８とが、記憶部１４に格納されており、縦表示画面用切り出し部２１・４５若しくは横表示画面用切り出し部２２・４６が、記憶部１４から縦表示画面用切り出し範囲２７若しくは横表示画面用切り出し範囲２８のデータをそれぞれ取得し、該切り出し範囲に応じて画像データを切り出す構成である。しかしながら、本発明はこれに限られず、例えば、縦表示画面用切り出し部２１・４５が、被写体をすべて含むような切り出し範囲を縦表示画面用切り出し範囲２７として設定し、該切り出し範囲に含まれる画像データを切り出すとともに、その設定した縦表示画面用切り出し範囲２７を記憶部１４に格納する。そして、次に、横表示画面用切り出し部２２・４６が選択されたときは、横表示画面用切り出し部２２・４６が、記憶部１４に格納された縦表示画面用切り出し範囲２７のデータを用いて、横表示画面用切り出し範囲２８を設定する構成であってもよい。
【０１４１】
また、実施の形態２の携帯電話機６１における切り出し範囲切換部４４は、表示画面方向検出部４３から、撮像時における表示画面方向を取得し、縦表示画面用切り出し部４５または横表示画面用切り出し部４６のうちの選択した方に、該取得した撮像時の表示画面方向のデータを出力する構成である。本発明はこれに限られず、通信相手から、通信相手が撮像した画像とともに、通信相手の端末装置で検出された該画像の撮像時における表示画面方向のデータを受信し、切り出し範囲切換部４４が、通信相手から受信した表示画面方向のデータを、選択した縦表示画面用切り出し部４５または横表示画面用切り出し部４６のうちのいずれかに出力する構成であってもよい。
【０１４２】
また、実施の形態１の携帯電話機１は、カメラ部１３で撮像された画像データを、カメラ制御部１８および通信制御部１６を介して、通信相手の端末に送信する構成であるが、本発明はこれに限られない。本発明の撮像機能付き端末装置は、カメラ部１３で撮像した画像データを縦表示画面用切り出し部２１または横表示画面用切り出し部２２によって切り出し、撮像画像用メモリ２４に格納した画像データを、通信制御部１６を介して、通信相手の端末に送信する構成であってもよい。
【０１４３】
上記構成によれば、画像データのうち、切り出した部分の画像データのみを通信相手の端末装置に送信するため、切出処理を行わずに、撮像した画像データを通信相手に送信する場合に比べて、送信する画像データのデータ量が少なくなる。よって、画像データを送信する際の送信時間を短くすることが可能となる。
【０１４４】
また、実施の形態２の携帯電話機６１は、撮像時の検出された表示画面６８の方向が横表示画面状態であるとき、縦表示画面用切り出し部４５または横表示画面用切り出し部４６によって、撮像画像用メモリ２４に格納された画像データのうち、縦表示画面用切り出し範囲２７または横表示画面用切り出し範囲２８に含まれる画像データのみを取り出し、回転部４２によって回転させ、表示する構成であるが、本発明はこれに限られない。本発明の撮像機能付き端末装置は、撮像時の検出された表示画面６８の方向が横表示画面状態であるとき、撮像した画像データを、カメラ制御部１８から撮像画像用メモリ２４に格納される前に回転させ、回転させた画像データを撮像画像用メモリ２４に格納する構成であってもよい。
【０１４５】
ところで、図８は、撮像された画像データと、表示画面と、切り出し範囲との関係の説明図であり、（ａ）は表示画面が縦表示画面状態であるときに撮像した画像データと、該画像データを表示する縦表示画面状態の表示画面と、その際の切り出し範囲との関係を示す図である。（ｂ）は、表示画面が縦表示画面状態であるときに撮影した画像データと、該画像データを表示する横表示画面状態の表示画面と、その際の切り出し範囲との関係を示す図である。（ｃ）は、表示画面が横表示画面状態であるときに撮影した画像データと、該画像データを表示する縦表示画面状態の表示画面と、その際の切り出し範囲との関係を示す図である。（ｄ）は、表示画面が横表示画面状態であるときに撮影した画像データと、該画像データを表示する横表示画面状態の表示画面と、その際の切り出し範囲との関係を示す図である。
【０１４６】
実施の形態２の携帯電話機６１における縦表示画面用切り出し部４５は、図８（ａ）に示すように、表示画面６８が第１の状態すなわち縦表示画面状態であった時に、カメラ部１３によって撮像し、該撮像された画像データ２９を表示する際の表示画面６８が縦表示画面状態である場合には、矩形の切り出し範囲であって、該矩形の長手方向を前記画像データの長手方向に一致させた矩形の第１切り出し範囲である縦表示画面用切り出し範囲２７によって画像データを切り出す。
【０１４７】
また、縦表示画面用切り出し部４５は、図８（ｃ）で示すように、表示画面６８が第２の状態である横表示画面状態であった時にカメラ部１３によって撮像し、該撮像された画像データ２９を表示する際の表示画面６８が縦表示画面状態である場合には、縦表示画面用切り出し範囲２７と同一形状であって、該矩形の長手方向を前記画像データの短手方向に一致させた矩形の第２切り出し範囲である横表示画面用切り出し範囲２８によって画像データを切り出す。
【０１４８】
さらに、実施の形態２の携帯電話機６１における横表示画面用切り出し部４６は、図８（ｂ）で示すように、表示画面６８が縦表示画面状態であった時に、カメラ部１３によって撮像し、該撮像された画像データ２９を表示する際の表示画面６８が横表示画面状態の場合には、横表示画面用切り出し範囲２８によって画像データを切り出す。
【０１４９】
また、横表示画面用切り出し部４６は、図８（ｄ）で示すように、表示画面６８が横表示画面状態であった時に、カメラ部１３によって撮像し、該撮像された画像データ２９を表示する際の表示画面６８が横表示画面状態である場合には、縦表示画面用切り出し範囲２７によって画像データを切り出す。
【０１５０】
最後に、携帯電話機１・６１が備える各ブロック、特に、表示画面方向検出部１９・４３、切り出し範囲切換部２０・４４、縦表示画面用切り出し部２１・４５、横表示画面用切り出し部２２・４６などの各機能ブロックは、ハードウェアロジックによって構成してもよいし、次のようにＣＰＵを用いてソフトウェアによって実現してもよい。
【０１５１】
すなわち、上記携帯電話機１・６１は、各機能ブロックを実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御プログラムのプログラムコード（実行形式プログラム、中間コードプログラム、ソースプログラム）をコンピュータで読み取り可能に記録した記録媒体を、上記携帯電話機１・６１に供給し、そのコンピュータ（またはＣＰＵやＭＰＵ）が記録媒体に記録されているプログラムコードを読み出し実行することによっても、達成可能である。
【０１５２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５３】
また、携帯電話機１・６１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５５】
本発明は、表示画面を縦長の表示画面と横長の表示画面とに自由に切換える機構を備えた端末装置に適用できる。該端末装置として、例えば、携帯電話機、デジタルカメラ等に利用することができる。
【図面の簡単な説明】
【０１５６】
【図１】本発明における端末装置の実施の一形態である携帯電話機の構成を示す機能ブロック図である。
【図２】（ａ）は表示画面を回転させる前の上記携帯電話機の状態を示す外観図であり、（ｂ）は表示画面を回転した後の上記携帯電話機の状態を示す外観図である。
【図３】（ａ）は表示画面を回転させる前の、上記携帯電話機における撮像画像用メモリに格納されている画像データと、表示画面との関係を示す説明図であり、（ｂ）は表示画面を回転させた後の、撮像画像用メモリに格納されている画像データと表示画面との関係を示す説明図である。
【図４】上記携帯電話機の動作のフローチャート図である。
【図５】（ａ）は本発明における端末装置の他の実施の一形態である携帯電話機の表示画面を回転させる前の状態を示す外観図であり、（ｂ）は（ａ）の携帯電話機の表示画面を回転した後の状態を示す外観図である。
【図６】本発明における端末装置の他の実施の一形態である携帯電話機の構成を示す機能ブロック図である。
【図７】（ａ）は、回転後の撮像素子で撮像され、上記他の実施の形態である携帯電話機における撮像画像用メモリに格納されている画像データと、該画像データのうち切り出し範囲で切り出された画像と、表示画面で表示される画像との関係を示す説明図である。（ｂ）は、回転前の撮像素子で撮像され、上記撮像画像用メモリに格納されている画像データと、表示画面で表示される画像との関係を示す説明図である。
【図８】（ａ）は表示画面が第１の状態であるときに撮影した画像データと、該画像データを表示する第１の状態の表示画面と、その際の切り出し範囲との関係を示す図である。（ｂ）は、表示画面が第１の状態であるときに撮影した画像データと、該画像データを表示する第２の状態の表示画面と、その際の切り出し範囲との関係を示す図である。（ｃ）は、表示画面が第２の状態であるときに撮影した画像データと、該画像データを表示する第１の状態の表示画面と、その際の切り出し範囲との関係を示す図である。（ｄ）は、表示画面が第２の状態であるときに撮影した画像データと、該画像データを表示する第２の状態の表示画面と、その際の切り出し範囲との関係を示す図である。
【図９】（ａ）は従来の携帯電話機の外観を示す斜視図であり、（ｂ）は従来の携帯電話機の外観を示す側面図であり、（ｃ）は従来の携帯電話機の変形例を示す側面図である。
【図１０】（ａ）は従来の携帯電話機における、表示画面を回転させる前の、撮像画像用メモリに格納されている画像データと表示画面との関係を示す説明図であり、（ｂ）は従来の携帯電話機における、表示画面を回転させた後の、撮像画像用メモリに格納されている画像データと表示画面との関係を示す説明図である。
【符号の説明】
【０１５７】
１    携帯電話機（撮像機能付き端末装置）
２，３    筐体
４    ヒンジ部
５    回転機構部（回転機構）
６・６６    表示部（表示手段）
７    撮影レンズ
８    表示画面
９    操作ボタン群
１１    通信部（通信手段）
１２    操作入力部
１３    カメラ部（撮像素子）
１４    記憶部
１５    制御部
１６    通信制御部
１７・６５    回転機構制御部
１８    カメラ制御部
１９・４３    表示画面方向検出部
２０・４４    切り出し範囲切換部
２１・４５    縦表示画面用切り出し部（画像切り出し手段）
２２・４６    横表示画面用切り出し部（画像切り出し手段）
２３    拡大部
２４    撮像画像用メモリ（撮像画像データ格納部）
２５    縦表示画面用切り出し範囲格納部
２６    横表示画面用切り出し範囲格納部
２７    縦表示画面用切り出し範囲（第１切り出し範囲）
２８    横表示画面用切り出し範囲（第２切り出し範囲）
４２    回転部
【図１】
2008301123.tif 000003
【図２】
2008301123.tif 000004
【図３】
2008301123.tif 000005
【図４】
2008301123.tif 000006
【図５】
2008301123.tif 000007
【図６】
2008301123.tif 000008
【図７】
2008301123.tif 000009
【図８】
2008301123.tif 000010
【図９】
2008301123.tif 000011
【図１０】
2008301123.tif 000012